(57)【特許請求の範囲】
【請求項１】
ユーザ機器（ＵＥ）のユーザアクセス能力が、既に保存されたトレースセッションをアクティブにするためのトレース制御及び配置パラメータに含まれたユーザアクセス能力に合致すると検証され、且つトリガー開始イベントがトリガーされた場合、前記ＵＥのトレース記録セッションを開始するステップと、
ＥＭＳが、前記ユーザアクセス能力を含むトレース制御及び配置パラメータを送信し、前記ＵＥのトレースセッションをアクティブにし、
ｅＮｏｄｅＢが、前記トレース制御及び配置パラメータを受信して保存し、ＵＥのユーザアクセス能力を受信した場合、受信されたＵＥのユーザアクセス能力が前記トレース制御及び配置パラメータにおけるユーザアクセス能力に合致するか否かを検証し、合致すると、前記ＵＥのトリガー開始イベントがトリガーされた場合、前記ＵＥのトレース記録セッションを開始し、合致しないと、前記ＵＥのトレース記録セッションを開始しないステップとを含むことを特徴とするシグナルトレース方法。
【請求項２】
前記トレース制御及び配置パラメータが、トリガーイベントと、トレース参照マークとをさらに含むことを特徴とする請求項１に記載のシグナルトレース方法。
【請求項３】
前記ＵＥのユーザアクセス能力が、前記トレース制御及び配置パラメータに含まれたユーザアクセス能力に合致するかを検証する前、
エレメント管理システム（ＥＭＳ）が、前記ユーザアクセス能力を含むトレース制御及び配置パラメータを送信し、前記ＵＥのトレースセッションをアクティブにし、前記トレース制御及び配置パラメータを受信したエレメントが、前記トレース制御及び配置パラメータを保存するステップをさらに含むことを特徴とする請求項１又は２に記載のシグナルトレース方法。
【請求項４】
前記トレース制御及び配置パラメータを順に、トレースしようとする各エレメントに伝送し、また、トレースしようとする各エレメントで前記ＵＥのトレース記録セッションを開始するステップをさらに含むことを特徴とする請求項３に記載のシグナルトレース方法。
【請求項５】
ＥＭＳが、前記ユーザアクセス能力を含むトレース制御及び配置パラメータを送信し、前記ＵＥのトレースセッションをアクティブにし、
ホーム加入者サーバ（ＨＳＳ）が、前記ＥＭＳから送信されたトレース制御及び配置パラメータを受信して保存し、ＵＥのユーザアクセス能力を受信した場合、受信されたＵＥのユーザアクセス能力が前記トレース制御及び配置パラメータにおけるユーザアクセス能力に合致するか否かを検証し、合致すると、前記トレース制御及び配置パラメータをモビリティ管理エンティティ（ＭＭＥ）に伝送し、合致しないと、前記トレース制御及び配置パラメータをＭＭＥに伝送せず、
前記ＭＭＥが、ＵＥから送信されたトリガー開始イベントに符合するシグナルを受信した場合、前記ＵＥのトレース記録セッションを開始し、また、前記トレース制御及び配置パラメータを次のエレメントに伝送し、
前記次のエレメントは、前記トレース制御及び配置パラメータを受信して保存し、前記ＵＥのトレース記録セッションを開始し、また、前記トレース制御及び配置パラメータを自分の次のエレメントに伝送し、
類似に順に行って、進化型移動基地局（ｅＮｏｄｅＢ）が前記トレース制御及び配置パラメータを受信して保存し、前記ＵＥのトレース記録セッションを開始するステップをさらに含むことを特徴とする請求項４に記載のシグナルトレース方法。
【請求項６】
前記ｅＮｏｄｅＢによる前記ＵＥのトレース記録セッションの開始が、
前記ｅＮｏｄｅＢが、前記ＵＥから送信された非アクセス層サービス要求を受信した後、該非アクセス層サービス要求に含まれた前記ＵＥのユーザアクセス能力が前記トレース制御及び配置パラメータにおけるユーザアクセス能力に符合するかを検証し、また、前記非アクセス層サービス要求が前記ＵＥのトリガー開始イベントに符合すると、前記ＵＥのトレース記録セッションを開始することであることを特徴とする請求項３に記載のシグナルトレース方法。
【請求項７】
トリガー開始イベントがトリガーされた場合、トレース記録セッションを開始する開始ユニットと、
前記ＵＥのユーザアクセス能力が、既に保存されたトレースセッションをアクティブにするためのトレース制御及び配置パラメータに含まれたユーザアクセス能力に合致すると検証された場合、前記開始ユニットに前記ＵＥのトレース記録セッションを開始させる検証ユニットと、
前記ユーザアクセス能力を含むトレース制御及び配置パラメータを受信して保存する記憶ユニットとを含み、
検証ユニットは、また、前記ＵＥのユーザアクセス能力が前記記憶ユニットに保存された、トレースセッションをアクティブにするためのトレース制御及び配置パラメータに含まれたユーザアクセス能力に合致するかを検証し、合致すると、前記開始ユニットに前記ＵＥのトレース記録セッションを開始させ、合致しないと、前記開始ユニットを開始させないとともに、
前記記憶ユニットに保存された前記トレース制御及び配置パラメータを現在のエレメントの次にトレースしようとするエレメントに伝送する伝送ユニットをさらに含むことを特徴とするシグナルトレース装置。
【発明の詳細な説明】
【技術分野】
【０００１】
本発明は、移動通信中のシグナルトレース技術に関し、具体的に、シグナルトレース方法及び装置に関するものである。
【背景技術】
【０００２】
移動通信ネットワークにおいて、ユーザ機器（ＵＥ、User  Equipment）に対し行うシグナルトレースのアクティブ化方式は、管理に基づくアクティブ化方式とシグナルに基づくアクティブ化方式との二つがある。その中、管理に基づくアクティブ化方式は、具体的には、エレメント管理システム（ＥＭＳ、Element  Management  System）が、トレースパラメータを各エレメント（ＮＥ、Network  Element）に送信し、エレメントのトレースイベントがトリガーされた場合に、対応するＵＥのトレース記録セッションをアクティブにする一方、シグナルに基づくアクティブ化方式は、具体的には、ＥＭＳがトレースパラメータをエレメントに送信し、該エレメントによりシグナルを介して他のエレメントに伝送し、エレメントのトレースイベントがトリガーされた場合、対応するＵＥのトレース記録セッションをアクティブにする。
【０００３】
既存のＵＥのトレースメカニズムは、ＥＭＳが送信するトレースセッションアクティブ化メッセージにユーザ番号（ＩＭＳＩ/ＩＭＥＩ）を含み、トレースセッションアクティブ化メッセージを受信したエレメントは、ユーザ番号を含むシグナルを受信した後、該シグナルがシグナルによるイベントトリガーを満たすと検証される場合、トレース記録セッションを開始し、そうではないと、トレース記録セッションを開始しない。このようなトレースメカニズムによると、ＵＥの支援能力又は置かれた状態に応じてトレースを開始するか否かを判定することができない。自己組織したネットワークとドライブテストの最小化技術の応用に伴って、ＵＥはますます多くの性能測定レポートを報告するように要求され、ＵＥに対する性能測定レポートの影響を低減するため、一定の無線アクセス能力を満たすＵＥのみに対しシグナルトレースをアクティブ化する。
【発明の概要】
【発明が解決しようとする課題】
【０００４】
本発明は、現在のシグナルトレース中にＵＥの無線アクセス能力に応じてシグナルトレースをアクティブにすることができない問題を解決できるシグナルトレース方法及び装置を提供することをその目的とする。
【課題を解決するための手段】
【０００５】
上記の目的を実現するため、本発明は以下のように実現する。
【０００６】
本発明は、ＵＥのユーザアクセス能力が、既に保存されたトレースセッションをアクティブにするためのトレース制御及び配置パラメータに含まれたユーザアクセス能力に合致すると検証され、且つトリガー開始イベントがトリガーされた場合、前記ＵＥのトレース記録セッションを開始するステップを含むシグナルトレース方法を提供する。
【０００７】
上記技術案において、前記トレース制御及び配置パラメータは、ユーザアクセス能力と、トリガーイベントと、トレース参照マークとをさらに含む。
【０００８】
上記技術案において、前記ＵＥのユーザアクセス能力が、前記トレース制御及び配置パラメータに含まれたユーザアクセス能力に合致するかを検証する前、エレメント管理システム（ＥＭＳ）が、前記ユーザアクセス能力を含むトレース制御及び配置パラメータを送信し、前記ＵＥのトレースセッションをアクティブにし、前記トレース制御及び配置パラメータを受信したエレメントは前記トレース制御及び配置パラメータを保存するステップをさらに含む。
【０００９】
上記技術案において、前記トレース制御及び配置パラメータを順に、トレースしようとする各エレメントに伝送し、また、トレースしようとする各エレメントで前記ＵＥのトレース記録セッションを開始する。
【００１０】
上記技術案において、ＥＭＳは、前記ユーザアクセス能力を含むトレース制御及び配置パラメータを送信し、前記ＵＥのトレースセッションをアクティブにし、ホーム加入者サーバ（ＨＳＳ）は、前記ＥＭＳから送信されたトレース制御及び配置パラメータを受信して保存し、ＵＥのユーザアクセス能力を受信した場合、受信されたＵＥのユーザアクセス能力が前記トレース制御及び配置パラメータにおけるユーザアクセス能力に合致するか否かを検証し、合致すると、前記トレース制御及び配置パラメータをモビリティ管理エンティティ（ＭＭＥ）に伝送し、合致しないと、前記トレース制御及び配置パラメータをＭＭＥに伝送せず、前記ＭＭＥは、ＵＥから送信されたトリガー開始イベントに符合するシグナルを受信した場合、前記ＵＥのトレース記録セッションを開始し、また、前記トレース制御及び配置パラメータを次のエレメントに伝送し、前記次のエレメントは、前記トレース制御及び配置パラメータを受信して保存し、前記ＵＥのトレース記録セッションを開始し、また、前記トレース制御及び配置パラメータを自分の次のエレメントに伝送し、類似に順に行って、進化型移動基地局（ｅＮｏｄｅＢ）が前記トレース制御及び配置パラメータを受信して保存し、前記ＵＥのトレース記録セッションを開始する。
【００１１】
上記技術案において、前記方法は、ＥＭＳが、前記ユーザアクセス能力を含むトレース制御及び配置パラメータを送信し、前記ＵＥのトレースセッションをアクティブにし、ｅＮｏｄｅＢが、前記トレース制御及び配置パラメータを受信して保存し、ＵＥのユーザアクセス能力を受信した場合、受信されたＵＥのユーザアクセス能力が前記トレース制御及び配置パラメータにおけるユーザアクセス能力に合致するか否かを検証し、合致すると、前記ＵＥのトリガー開始イベントがトリガーされた場合、前記ＵＥのトレース記録セッションを開始し、合致しないと、前記ＵＥのトレース記録セッションを開始しないステップをさらに含む。
【００１２】
上記技術案において、前記ｅＮｏｄｅＢによる前記ＵＥのトレース記録セッションの開始は、前記ｅＮｏｄｅＢが、前記ＵＥから送信された非アクセス層サービス要求を受信した後、該非アクセス層サービス要求に含まれた前記ＵＥのユーザアクセス能力が前記トレース制御及び配置パラメータにおけるユーザアクセス能力に符合するかを検証し、また、前記非アクセス層サービス要求が前記ＵＥのトリガー開始イベントに符合すると、前記ＵＥのトレース記録セッションを開始することである。
【００１３】
本発明によると、トリガー開始イベントがトリガーされた場合、トレース記録セッションを開始する開始ユニットと、前記ＵＥのユーザアクセス能力が、既に保存されたトレースセッションをアクティブにするためのトレース制御及び配置パラメータに含まれたユーザアクセス能力に合致すると検証された場合、前記開始ユニットに前記ＵＥのトレース記録セッションを開始させる検証ユニットと、を含むシグナルトレース装置を提供する。
【００１４】
上記技術案において、前記装置は、前記ユーザアクセス能力を含むトレース制御及び配置パラメータを受信して保存する記憶ユニットをさらに含み、検証ユニットは、また、前記ＵＥのユーザアクセス能力が前記記憶ユニットに保存された、トレースセッションをアクティブにするためのトレース制御及び配置パラメータに含まれたユーザアクセス能力に合致するかを検証し、合致すると、前記開始ユニットに前記ＵＥのトレース記録セッションを開始させ、合致しないと、前記開始ユニットを開始させない。
【００１５】
上記技術案において、前記装置は、前記記憶ユニットに保存された前記トレース制御及び配置パラメータを現在のエレメントの次にトレースしようとするエレメントに伝送する伝送ユニットをさらに含む。
【００１６】
本発明のシグナルトレース方法及び装置によると、前記ＵＥのユーザアクセス能力が、既に保存されたトレース制御及び配置パラメータに含まれたユーザアクセス能力に合致すると検証された場合、前記ＵＥのトレース記録セッションを開始し、特定のアクセス能力を有するＵＥのシグナルトレースを実現し、ＵＥに多くの性能測定レポートの報告が要求される場合、ＵＥに対する性能測定レポートの影響を効率的に低減できる。
【図面の簡単な説明】
【００１７】
【図１】本発明に係わるシグナルトレース方法を示すフローチャートである。
【図２】本発明の実施例１に係わるＥＰＣを例にシグナル方式で特定のアクセス能力を有するＵＥにシグナルトレースを行うことを示す図である。
【図３】本発明の実施例２に係わるＥ−ＵＴＲＡＮを例に管理方式で特定のアクセス能力を有するＵＥにシグナルトレースを行うことを示す図である。
【発明を実施するための形態】
【００１８】
本発明は、ユーザ番号とユーザアクセス能力（ＵＥ  Ｃａｐａｂｉｌｉｔｙ）に応じて、ＵＥにシグナルトレースを行い、特定の無線アクセス能力を有するＵＥに対するシグナルトレースの応用状況を支援する。
【００１９】
本発明のシグナルトレース方法によると、特定のアクセス能力を有するＵＥに対しシグナルトレースを行うことができ、図１に示すように、ＵＥのユーザアクセス能力が既に保存された、トレースセッションをアクティブにするためのトレース制御及び配置パラメータに含まれたユーザアクセス能力に合致するか否かを検証し、合致すると、トリガー開始イベントがトリガーされた場合、前記ＵＥのトレース記録セッションを開始し、そうではないと、前記ＵＥのトレース記録セッションを開始しない。
【００２０】
ここで、上記のフローを移動通信ネットワークにおける前記トレース制御及び配置パラメータを保存しているいずれかのエレメントによって実現することができ、又は、移動通信ネットワークにおける前記トレース制御及び配置パラメータを保存している複数のエレメントにより共同に完成することもできる。例えば、ホーム加入者サーバ（ＨＳＳ、Home  Subscriber  Server）とモビリティ管理エンティティ（ＭＭＥ、Mobility  Management  Entity）により共同に完成することができ、又は進化型移動基地局（ｅＮｏｄｅＢ、Evolved  Node  B）によって完成することもできる。
【００２１】
ここで、前記トレース制御及び配置パラメータは、少なくとも、ＵＥ  Ｃａｐａｂｉｌｉｔｙと、トリガーイベントと、トレース参照マークと、を含む。
【００２２】
その中、ＵＥ  Ｃａｐａｂｉｌｉｔｙの値は、ユニバーサル地上無線アクセス（ＵＴＲＡ、Universal  Telecommunication  Radio  Access）周波数分割二重通信（ＦＤＤ、Frequency  Division  Duplexing）、時分割二重通信（ＴＤＤ、Time  Division  Duplexing）、ＧＳＭ/ＥＤＧＥ無線アクセスネットワーク（ＧＥＲＡＮ、GSM  EDGE  Radio  Access  Network）等であることができ、他のユーザ端末の無線アクセス能力を示すパラメータ値を取ることもできる。
【００２３】
その中、前記方法は、前記ＵＥのユーザアクセス能力が前記トレース制御及び配置パラメータに含まれたユーザアクセス能力に合致するか否かを検証する前、ＥＭＳが前記ユーザアクセス能力を含むトレース制御及び配置パラメータを送信して前記ＵＥのトレースセッションをアクティブにし、前記トレース制御及び配置パラメータを受信したエレメントが、前記トレース制御及び配置パラメータを保存するステップをさらに含む。
【００２４】
ここで、前記ＥＭＳは、前記トレース制御及び配置パラメータを送信しようとするトレースセッションアクティブ化メッセージに携帯して送信する。
【００２５】
その中、前記方法は、前記トレース制御及び配置パラメータを順に、トレースしようとする各エレメントに伝送し、トレースしようとする各エレメントで前記ＵＥのトレース記録セッションを開始するステップをさらに含む。ここで、トレースしようとする各エレメント間で交換するシグナルを介して、前記トレース制御及び配置パラメータをトレースしようとする各エレメントに順に伝送することができる。なお、シグナル方式でシグナルトレースを実現する場合のみ、該ステップを含む。
【００２６】
具体的に、ＥＭＳは、前記ユーザアクセス能力を含むトレース制御及び配置パラメータを送信し、前記ＵＥのトレースセッションをアクティブにし、ＨＳＳは、前記ＥＭＳから送信されたトレース制御及び配置パラメータを受信して保存し、ＵＥのユーザアクセス能力を受信した場合、受信されたＵＥのユーザアクセス能力が前記トレース制御及び配置パラメータにおけるユーザアクセス能力に合致するか否かを検証し、合致すると、前記トレース制御及び配置パラメータをＭＭＥに伝送し、そうではないと、前記トレース制御及び配置パラメータをＭＭＥに送信せず、前記ＭＭＥがＵＥから送信されたイベントトリガーに符合するシグナルを受信した場合、前記ＵＥのトレース記録セッションを開始し、前記トレース制御及び配置パラメータを次のエレメントに伝送し、前記次のエレメントは、前記トレース制御及び配置パラメータを受信して保存し、前記ＵＥのトレース記録セッションを開始し、また、前記トレース制御及び配置パラメータを自分の次のエレメントに送信し、類似に順に行って、ｅＮｏｄｅＢが前記トレース制御及び配置パラメータを受信して保存し、前記ＵＥのトレース記録セッションを開始する。
【００２７】
又は、前記方法は、ＥＭＳが、前記ユーザアクセス能力を含むトレース制御及び配置パラメータを送信し、前記ＵＥのトレースセッションをアクティブにし、ｅＮｏｄｅＢが、前記トレース制御及び配置パラメータを受信して保存し、ＵＥのユーザアクセス能力を受信した場合、受信されたＵＥのユーザアクセス能力が前記トレース制御及び配置パラメータにおけるユーザアクセス能力に合致するか否かを検証し、合致すると、前記ＵＥのトリガー開始イベントがトリガーされた場合、前記ＵＥのトレース記録セッションを開始し、そうではないと、前記ＵＥのトレース記録セッションを開始しないステップをさらに含む。なお、管理方式でシグナルトレースを実現する場合のみ、当該ステップを含む。
【００２８】
その中、前記ｅＮｏｄｅＢが前記ＵＥのトレース記録セッションを開始するステップは、具体的に、前記ｅＮｏｄｅＢが前記ＵＥから送信された非アクセス層サービス要求を受信した後、該非アクセス層サービス要求に含まれた前記ＵＥのユーザアクセス能力が前記トレース制御及び配置パラメータにおけるユーザアクセス能力に符合するかを検証し、また、前記非アクセス層サービス要求が前記ＵＥのトリガー開始イベントに符合すると、前記ＵＥのトレース記録セッションを開始する。
【００２９】
上記のシグナルトレース方法を実現するため、本発明によるとシグナルトレース装置を提供し、該装置は、トリガー開始イベントがトリガーされた場合、トレース記録セッションを開始する開始ユニットと、前記ＵＥのユーザアクセス能力が既に保存された、トレースセッションをアクティブにするためのトレース制御及び配置パラメータに含まれたユーザアクセス能力に合致するか否かを検証し、合致すると、前記開始ユニットに前記ＵＥのトレース記録セッションを開始させる検証ユニットと、を含む。
【００３０】
実際の応用において、上記装置は、移動通信ネットワークにおけるいずれかのエレメントに設けられることができれば、同時に複数のエレメントに設けられることもでき、また、その中の検証ユニットと開始ユニットをそれぞれ、異なるエレメントに設けることもでき、例えば、検証ユニットをＥＰＣにおけるＨＳＳに設けると共に、開始ユニットをＥＰＣにおけるＭＭＥに設けることができ、又は、上記装置を進化型ＵＭＴＳ陸地無線アクセスネットワーク（Ｅ−ＵＴＲＡＮ、Evolved  UMTS  Terrestrial  Radio  Access  Network）におけるｅＮｏｄｅＢに設けることもできる。
【００３１】
その中、前記装置は、前記ユーザアクセス能力を含むトレース制御及び配置パラメータを受信して保存する記憶ユニットと、前記ＵＥのユーザアクセス能力が前記記憶ユニットにより保存された、トレースセッションをアクティブにするためのトレース制御及び配置パラメータに含まれたユーザアクセス能力に合致するか否かを検証し、合致すると、前記開始ユニットに前記ＵＥのトレース記録セッションを開始させ、合致しないと、前記開始ユニットを開始させない検証ユニットと、をさらに含む。
【００３２】
その中、前記装置は、前記記憶ユニットに保存された前記トレース制御及び配置パラメータを現在のエレメントの次のエレメントに伝送する伝送ユニットをさらに含む。
【００３３】
具体的に、該シグナルトレース装置によりＵＥのシグナルトレースを実現し、具体的なフローは次の実施例を参照することができる。
【００３４】
以下、図面及び具体的な実施例を結合して本発明の技術案の実施をさらに詳しく説明する。
【００３５】
実施例１
図２に示すように、ＥＰＣシステムを例として、シグナル方式で特定のアクセス能力を有するユーザ機器にシグナルトレースを行うフローは、以下のステップを含む。
【００３６】
ＥＭＳは、ＨＳＳにトレースセッションアクティブ化メッセージを送信し（ステップ２０１）、該メッセージは、トレース制御及び配置パラメータを携帯し、且つトレース制御及び配置パラメータにその値がＵＴＲＡ  ＦＤＤを支援するＵＥ  Ｃａｐａｂｉｌｉｔｙが含まれる。
【００３７】
ここで、前記トレース制御及び配置パラメータは、少なくとも、ユーザ番号と、ＵＥ  Ｃａｐａｂｉｌｉｔｙと、トリガーイベントと、トレース参照マークとを含む。
【００３８】
ユーザ番号は、具体的に、ユーザ機器の国際移動体加入者識別番号（ＩＭＳＩ、International  Mobile  Subscriber  Identity）、及び/又は国際移動体装置識別番号（ＩＭＥＩ、International  Mobile  Equipment  Identity）を含む。
【００３９】
ＨＳＳは、前記ＥＭＳから送信されたトレースセッションアクティブ化メッセージを受信し、その中のトレース制御及び配置パラメータを保存する（ステップ２０２）。
【００４０】
ＵＥは、ｅＮｏｄｅＢにアタッチ要求を発し、ｅＮｏｄｅＢは、ＵＥのアタッチ要求をＭＭＥに送信する（ステップ２０３〜２０４）。
【００４１】
ここで、ＵＥから送信されるアタッチ要求は、自分のＵＥ  Ｃａｐａｂｉｌｉｔｙ、ユーザ番号等の情報を含む。
【００４２】
ＭＭＥは、ｅＮｏｄｅＢからのアタッチ要求を受信した後、前記ＵＥの位置更新要求をＨＳＳに送信する（ステップ２０５）。
【００４３】
ここで、前記ＵＥの位置更新要求は、前記ＵＥのＵＥ  Ｃａｐａｂｉｌｉｔｙ、ユーザ番号等の情報を含む。
【００４４】
ＨＳＳは、ＭＭＥからの位置更新要求を受信した後、ＭＭＥに位置更新応答を返信する（ステップ２０６）。
【００４５】
具体的に、ＨＳＳは、前記ＵＥのユーザ番号がトレースが指定されたユーザ番号であるかを判定し、即ち、自分に保存されたトレース制御及び配置パラメータに前記ＵＥのユーザ番号が保存されているかを判定し、且つ、ＨＳＳは、前記ＵＥのＵＥ  Ｃａｐａｂｉｌｉｔｙが自分に保存されたトレース制御及び配置パラメータにおけるＵＥ  Ｃａｐａｂｉｌｉｔｙに合致するかを判定し、即ち、前記ＵＥのＵＥ  ＣａｐａｂｉｌｉｔｙがＵＴＲＡ  ＦＤＤを支援するかを判定し、その後、ＨＳＳは、ＭＭＥに返信する位置更新応答に自分に保存されたトレース制御及び配置パラメータを携帯し、ＭＭＥ上の前記ＵＥのトレース記録セッションを開始する。
【００４６】
ここで、ＨＳＳがＭＭＥに送信するトレース制御及び配置パラメータは、具体的に、ユーザ番号（IMSI  or  IMEISV）と、トレースセッション参照番号（Trace  Reference）と、トレースイベント（Triggering  events  for  MME、Serving  GW、PDN  GW）と、トレース深さ（Trace  Depth  for  MME、Serving  GW、PDN  GW、eNB)と、トレースエレメントタイプ（List  of  NE  types  to  trace）と、トレースインターフェース（List  of  Interfaces  for  MME、Serving  GW、PDN  GW、eNB）と、トレース収集エンティティアドレス（IP  address  of  Trace  Collection  Entity）と、を含むことができる。
【００４７】
ＭＭＥは、前記トレース制御及び配置パラメータを携帯した位置更新応答メッセージを受信し、その中のトレース制御及び配置パラメータを保存する（ステップ２０７）。
【００４８】
ＭＭＥは、ＵＥから送信された、前記トレースセッションにおけるトレース制御及び配置パラメータのトリガー開始イベントに符合するシグナルを受信した後、前記ＵＥのトレース記録セッションを開始する（ステップ２０８）。
【００４９】
ＭＭＥは、前記トレース制御及び配置パラメータを携帯したセッション確立要求をＳ−ＧＷに送信し、Ｓ−ＧＷは、前記セッション確立要求を受信してその中のトレース制御及び配置パラメータを保存する（ステップ２０９〜２１０）。
【００５０】
ここで、ＭＭＥがＳ−ＧＷに送信するトレース制御及び配置パラメータは、ユーザ番号と、トレースセッション参照番号と、トレース記録セッション参照番号（Trace  Recording  Session  Reference）と、トレースイベント（Triggering  events  for  PDN  GW）と、トレース深さ（Trace  Depth  for  Serving  GW,  PDN  GW）と、トレースエレメントタイプ（List  of  ＮＥ  types  to  trace）と、トレースインターフェース（List  of  Interfaces  for  Serving  GW,  PDN  GW）と、トレース収集エンティティアドレスと、を含む。
【００５１】
Ｓ−ＧＷは、前記ＵＥのトレース記録セッションを開始する（ステップ２１１）。
【００５２】
Ｓ−ＧＷは、トレース制御及び配置パラメータを携帯したセッション確立要求をＰ−ＧＷに送信し、Ｐ−ＧＷは該セッション確立要求を受信してその中のトレース制御及び配置パラメータを保存する（ステップ２１２〜２１３）。
【００５３】
ここで、Ｓ−ＧＷがＰ−ＧＷに送信するトレース制御及び配置パラメータは、ユーザ番号と、トレースセッション参照番号と、トレース記録セッション参照番号と、トレースイベント（Triggering  events  for  Serving  GW、PDN  GW）と、トレース深さ（Trace  Depth  for  Serving  GW、PDN  GW）と、トレースインターフェース（List  of  Interfaces  for  PDN  GW）と、トレース収集エンティティアドレスとを含む。
【００５４】
Ｐ−ＧＷは、前記ＵＥのトレース記録セッションを開始する（ステップ２１４）。
【００５５】
Ｐ−ＧＷは、Ｓ−ＧＷにセッション確立応答を返信し、Ｓ−ＧＷはＭＭＥにセッション確立応答を返信する（ステップ２１５〜２１６）。
【００５６】
ＭＭＥは、トレース制御及び配置パラメータを携帯した初期コンテキスト確立要求をｅＮｏｄｅＢに送信し、ｅＮｏｄｅＢは、前記初期コンテキスト確立要求を受信してその中のトレース制御及び配置パラメータを保存する（ステップ２１７〜２１８）。
【００５７】
ここで、ＭＭＥがｅＮｏｄｅＢに送信するトレース制御及び配置パラメータは、具体的に、トレースセッション参照番号と、トレース記録セッション参照番号と、トレース深さ（Trace  Depth  for  eNB）と、トレース収集エンティティアドレスとを含むことができる。
【００５８】
ｅＮｏｄｅＢは、前記ＵＥのトレース記録セッションを開始し（ステップ２１９）、これによって前記ＵＥのシグナルトレースを実現した。
【００５９】
実施例２
図３に示すように、Ｅ−ＵＴＲＡＮを例として、管理方式で特定のアクセス能力を有するユーザ機器にシグナルトレースを行うフローは以下のステップを含む。
【００６０】
ＥＭＳは、エレメント管理者（ＥＭ）を介してｅＮｏｄｅＢにトレースセッションアクティブ化メッセージを送信し（ステップ３０１）、該メッセージにＵＥ  Ｃａｐａｂｉｌｉｔｙを含むトレース制御及び配置パラメータを携帯する。
【００６１】
その中、前記トレース制御及び配置パラメータは、少なくとも、ＵＥ  Ｃａｐａｂｉｌｉｔｙと、トリガーイベントと、トレース参照マークとを含む。
【００６２】
ここで、前記トレース制御及び配置パラメータに含まれるＵＥ  Ｃａｐａｂｉｌｉｔｙは、ＵＴＲＡ  ＦＤＤを支援するものである。
【００６３】
ｅＮｏｄｅＢは、前記トレースセッションメッセージを受信し、自分のトレースセッションをアクティブにし、前記トレースセッションメッセージに携帯したトレース制御及び配置パラメータを保存する（ステップ３０２）。
【００６４】
ＵＥは、ｅＮｏｄｅＢに非アクセス層（ＮＡＳ，Non-Access-Stratum）サービス要求を送信し、ｅＮｏｄｅＢにアクセスする（ステップ３０３）。
【００６５】
ここで、ＵＥから送信されるＮＡＳサービス要求は、前記ＵＥのＵＥ  Ｃａｐａｂｉｌｉｔｙ等の情報を含む。
【００６６】
ｅＮｏｄｅＢは、前記ＵＥから送信されるＮＡＳサービス要求を受信し、その中に含まれたＵＥ  Ｃａｐａｂｉｌｉｔｙが自分に保存されたトレース制御及び配置パラメータにおけるＵＥ  Ｃａｐａｂｉｌｉｔｙに合致するか否かを判定し、且つ、前記ＵＥから送信されたＮＡＳサービス要求が自分に保存されたトレース制御及び配置パラメータにおけるトリガー開始イベントに符合すると、ｅＮｏｄｅＢは前記ＵＥのトレース記録セッションを開始し、ＭＭＥにトレース通知メッセージを送信し、ＭＭＥは、トレース通知メッセージを受信した後、自分中で前記ＵＥのユーザ番号（ＩＭＳＩ及びＩＭＥＩＳＶ）を探し、トレース記録をトレース収集エンティティ（ＴＣＥ、Trace  Collection  Entity）に報告し（ステップ３０４〜３０７）、ＭＭＥにより報告されるトレース記録は、トレースセッション参照番号と、トレース記録セッション参照番号と、探し出したＩＭＳＩ及びＩＭＥＩＳＶとを含む。
【００６７】
ｅＮｏｄｅＢは、対応する前記トレース記録セッションのトレース記録をＴＣＥに報告し（ステップ３０８）、ｅＮｏｄｅＢにより報告されたトレース記録は、前記トレース記録セッションのトレースセッション参照番号とトレース記録セッション参照番号を含む。
【００６８】
前記トレース記録セッションのトリガー停止イベントがトリガーされた場合、例えば、ｅＮｏｄｅＢが前記トレース記録セッションのトリガー停止イベントをトリガーするシグナルを受信した場合、ｅＮｏｄｅＢはＵＥのトレース記録セッションを非アクティブにする（ステップ３０９）。
【００６９】
上記の内容は、本発明のＥＰＣ/Ｅ−ＵＴＲＡＮでの実施例に過ぎず、本発明の保護範囲を限定するものではない。
【００７０】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
0005646756.tif 000002
【図２】
0005646756.tif 000003
【図３】
0005646756.tif 000004